【手続補正書】
【提出日】平成30年12月7日(2018.12.7)
【手続補正１】
【補正対象書類名】特許請求の範囲
【補正対象項目名】全文
【補正方法】変更
【補正の内容】
【特許請求の範囲】
【請求項１】
対象者がある物質に対してアレルギーがあるかどうかを判定する際に使用するための処理ユニットで実施される方法であって、前記方法は、
前記物質が付与された位置を含む前記対象者の皮膚領域に及ぶ空間的に分布した光強度値の第１の組を受信するステップであって、前記第１の組の光強度値は可視光の強度である、ステップと、
前記皮膚領域に及ぶ空間的に分布した光強度値の第２の組を受信するステップであって、前記第２の組の光強度値は赤外（ＩＲ）光の強度である、ステップと、
前記光強度値の第１の組に基づいて光動脈波（ＰＰＧ）パルス振幅の第１の空間分布を生成するステップと、
前記光強度値の第２の組に基づいてＰＰＧパルス振幅の第２の空間分布を生成するステップと、
前記第１の空間分布を前記第２の空間分布と比較し、前記第１の空間分布及び前記第２の空間分布の各々について、前記物質が付与された前記位置に対応するＰＰＧパルス振幅を、前記物質が付与されていない位置に対応するＰＰＧパルス振幅と比較するステップと、
前記比較の結果に基づいて、前記対象者が前記物質に対するアレルギー反応を経験しているかどうか、及び前記アレルギー反応の激しさの指示を出力するステップと
を含む、方法。
【請求項２】
前記第１の空間分布を前記第２の空間分布と比較するステップは、
前記第１の空間分布内の前記ＰＰＧパルス振幅を第１の閾値と比較することによって前記第１の空間分布内の高パルス振幅領域を識別するステップと、
前記第２の空間分布内の前記ＰＰＧパルス振幅を第２の閾値と比較することによって前記第２の空間分布内の高パルス振幅領域を識別するステップと、
前記第１の空間分布内の前記識別された高パルス振幅領域を前記第２の空間分布内の前記識別された高パルス振幅領域と比較するステップと
を含む、請求項１に記載の方法。
【請求項３】
前記皮膚領域に及ぶ空間的に分布した光強度値の第１のベースラインの組を受信するステップであって、前記第１のベースラインの組の光強度値は可視光の強度である、ステップと、
前記皮膚領域に及ぶ空間的に分布した光強度値の第２のベースラインの組を受信するステップであって、前記第２のベースラインの組の光強度値は赤外（ＩＲ）光の強度である、ステップと、
光強度値の前記第１のベースラインの組に基づいてＰＰＧパルス振幅の第１のベースライン空間分布を生成するステップと、
光強度値の前記第２のベースラインの組に基づいてＰＰＧパルス振幅の第２のベースライン空間分布を生成するステップと
を更に含み、
前記物質が前記皮膚領域に付与される前に、前記第１のベースラインの組及び前記第２のベースラインの組の光強度値が得られている、請求項１又は２に記載の方法。
【請求項４】
ＰＰＧパルス振幅の前記第１の空間分布からＰＰＧパルス振幅の前記第１のベースライン空間分布を減算して、ＰＰＧパルス振幅の補正済みの第１の空間分布を生成するステップと、
ＰＰＧパルス振幅の前記第２の空間分布からＰＰＧパルス振幅の前記第２のベースライン空間分布を減算して、ＰＰＧパルス振幅の補正済みの第２の空間分布を生成するステップと
を更に含み、
前記第１の空間分布を前記第２の空間分布と比較するステップは、前記補正済みの第１の空間分布を前記補正済みの第２の空間分布と比較するステップを含み、前記物質が付与された前記位置に対応するＰＰＧパルス振幅を、前記物質が付与されていない位置に対応するＰＰＧパルス振幅と比較するステップは、前記物質が付与された前記位置に対応する補正済みのＰＰＧパルス振幅を、前記物質が付与されていない前記位置に対応する補正済みのＰＰＧパルス振幅と比較するステップを含む、請求項３に記載の方法。
【請求項５】
前記第１のベースライン空間分布内の前記ＰＰＧパルス振幅を閾値と比較することによって前記第１のベースライン空間分布内の高パルス振幅領域を識別するステップと、
前記第２のベースライン空間分布内の前記ＰＰＧパルス振幅を閾値と比較することによって前記第２のベースライン空間分布内の高パルス振幅領域を識別するステップと、
前記第１のベースライン空間分布及び前記第２のベースライン空間分布内の識別された前記高パルス振幅領域に基づき、前記物質を付与するための皮膚の位置を選択するステップと
を更に含む、請求項３又は４に記載の方法。
【請求項６】
前記物質を付与するための皮膚の位置を選択するステップは、前記識別された高パルス振幅領域の何れにも含まれない皮膚の位置を選択するステップを含み、及び／又は、前記方法は、前記選択された位置において前記対象者の皮膚に印を施すステップを更に含む、請求項５に記載の方法。
【請求項７】
前記空間的に分布した光強度値の第１の組は、第１の時点において得られる前記皮膚領域に及ぶ空間的に分布した光強度値と、後の第２の時点において得られる前記皮膚領域に及ぶ空間的に分布した光強度値とを含み、
前記空間的に分布した光強度値の第２の組は、前記第１の時点において得られる前記皮膚領域に及ぶ空間的に分布した光強度値と、前記第２の時点において得られる前記皮膚領域に及ぶ空間的に分布した光強度値とを含み、
前記光強度値の第１の組に基づいてＰＰＧパルス振幅の第１の空間分布を生成するステップは、前記第１の時点に対応するＰＰＧ振幅の初期の第１の空間分布と、前記第２の時点に対応するＰＰＧ振幅の後の第１の空間分布とを生成するステップを含み、
前記光強度値の第２の組に基づいてＰＰＧパルス振幅の第２の空間分布を生成するステップは、前記第１の時点に対応するＰＰＧ振幅の初期の第２の空間分布と、前記第２の時点に対応するＰＰＧ振幅の後の第２の空間分布とを生成するステップを含み、
前記第１の空間分布を前記第２の空間分布と比較するステップは、前記初期の第１の空間分布を前記初期の第２の空間分布と比較し、且つ前記後の第１の空間分布を前記後の第２の空間分布と比較するステップを含む、
請求項１乃至６の何れか一項に記載の方法。
【請求項８】
前記初期の第１の空間分布を前記後の第１の空間分布と比較し、且つ前記初期の第２の空間分布を前記後の第２の空間分布と比較するステップを更に含み、前記対象者が前記物質に対するアレルギー反応を経験しているかどうかの判定を出力するステップは、前記初期の空間分布と前記後の空間分布との前記比較に更に基づく、請求項７に記載の方法。
【請求項９】
前記対象者がアレルギー反応を経験しているかどうかの前記判定は、アレルギー反応の激しさの指示及び／又は前記対象者が前記物質に対するアレルギー反応を経験している尤度を含む、請求項１乃至８の何れか一項に記載の方法。
【請求項１０】
前記皮膚領域は、第１の物質が付与された第１の位置と、第２の物質が付与された第２の位置とを含み、前記対象者が物質に対するアレルギー反応を経験しているかどうかの指示を出力するステップは、前記対象者が第１の物質に対するアレルギー反応を経験しているかどうかの第１の指示と、前記対象者が第２の物質に対するアレルギー反応を経験しているかどうかの第２の指示とを出力するステップを含む、請求項１乃至９の何れか一項に記載の方法。
【請求項１１】
対象者がある物質に対してアレルギーがあるかどうかを判定する際に使用するための機器であって、
請求項１乃至１０の何れか一項に記載の方法を実施する処理ユニット
を含む、機器。
【請求項１２】
対象者がある物質に対してアレルギーがあるかどうかを判定する際に使用するためのシステムであって、
請求項１１に記載の機器と、
少なくとも１つの波長の可視光及び少なくとも１つの波長の赤外（ＩＲ）光を放つ光源と、
前記機器と通信するカメラであって、
前記少なくとも１つの波長の可視光の強度及び前記少なくとも１つの波長のＩＲ光の強度を検出し、
空間的に分布した可視光強度値及び空間的に分布したＩＲ光強度値を出力する、
カメラと、
前記物質を前記対象者の皮膚に接触させておくための皮膚パッチであって、前記少なくとも１つの波長の可視光に対して少なくとも部分的に透過的であり且つ前記少なくとも１つの波長のＩＲ光に対して少なくとも部分的に透過的である材料を含む皮膚パッチと
を含む、システム。
【請求項１３】
前記機器と通信するプロジェクタを更に含み、前記プロジェクタは、前記機器によって選択される位置において前記対象者の皮膚上に印を投影する、請求項１２に記載のシステム。
【請求項１４】
適切なコンピュータ又はプロセッサによって実行されると、前記コンピュータ又はプロセッサが請求項１乃至１０の何れか一項に記載の方法を実施するコンピュータ可読コードを含む、コンピュータプログラム。